(57)【要約】【課題】制御情報を送信するための保守監視データ転送領域を用いて、基地局装置から加入者局装置に対してプログラムファイル等の配信データを送信する場合に、基地局装置による加入者局装置に対する制御等が長時間にわたって中断することを回避する。【解決手段】基地局装置（１）から加入者局装置（２）に対する配信データの送信と制御情報の送信とを予め設定された回数ずつ交互に実行する（Ｃ１４〜２３）。【選択図】            図２
2005027136.tif 000002
【特許請求の範囲】
【請求項１】
１以上の加入者局装置とユーザデータ転送領域を用いてユーザデータを送受する基地局装置であって、
前記ユーザデータ転送領域とは別の保守監視データ転送領域を用いて、前記加入者局装置に制御情報を送信する制御情報送信手段と、
前記保守監視データ転送領域を用いて前記加入者局装置に配信データを送信する配信データ送信手段と、
前記加入者局装置に対して送信すべき前記配信データがない場合には、前記制御情報送信手段による送信を実行させ、前記配信データがある場合には、前記制御情報送信手段による送信と前記配信データ送信手段による送信とを交互に実行させる制御手段と、
を有することを特徴とする基地局装置。
【請求項２】
１以上の加入者局装置に対して、ユーザデータを送受するためのユーザデータ転送領域とは別の保守監視データ転送領域を用いて制御情報と配信データとを送信するデータ送信方法であって、
前記加入者局装置に対して送信すべき前記配信データがない場合には、前記制御情報を送信し、前記配信データがある場合には、前記制御情報と前記配信データとを交互に送信することを特徴とするデータ送信方法。
【発明の詳細な説明】
【０００１】
【発明の属する技術分野】
本発明は、１以上の加入者局装置と通信を行う基地局装置、および、１以上の加入者局装置にデータを送信するデータ送信方法に関し、特に、加入者局装置に対して当該装置で使用されるプログラムファイル等の配信データを送信するものに関する。
【０００２】
【従来の技術】
屋外の電柱等に設置された基地局装置と、この基地局装置から数百ｍ内に設置された複数の加入者局装置との間で無線通信を行うことにより、基地局装置に接続されたネットワークと加入者局装置に接続されたユーザ端末との間の通信を実現する通信システムがある。
【０００３】
このような通信システムでは、基地局装置は、各加入者局装置に対して制御情報を送信することにより、各加入者局装置の動作パラメータの設定、状態監視、制御、試験制御、履歴の取得等を行っている。一般に、制御情報の送信は、通常のユーザデータの送受に用いられるユーザデータ転送領域とは別に設けられた保守監視データ転送領域を用いて行われる。
【０００４】
【発明が解決しようとする課題】
上記の通信システムにおいて、加入者局装置で使用されるプログラムやデータ等を更新するために、基地局装置から加入者局装置に対して、プログラムファイル等の配信データを送信する場合がある。この場合、配信データは、ユーザデータ転送領域を用いて行われてもよいが、ユーザデータの通信速度を低下させないために、保守監視データ転送領域を用いて行われるのが好ましい。
【０００５】
しかし、配信データを保守監視データ転送領域を用いて行う場合において、配信データの送信が完了するまで制御情報の送信を中断することとすると、配信データの送信が完了するまで加入者局装置に対する制御等が行えなくなってしまう。特に、配信データのデータ量が多いときには、長時間にわたって加入者局装置に対する制御等が中断してしまう。
【０００６】
本発明は上記事情に鑑みなされたものであり、その目的は、配信データの送信により加入者局装置に対する制御等が長時間にわたって中断することを回避することができる基地局装置およびデータ送信方法を提供することである。
【０００７】
【課題を解決するための手段】
上記した課題を解決し、目的を達成するための第１の発明は、１以上の加入者局装置とユーザデータ転送領域を用いてユーザデータを送受する基地局装置であって、前記ユーザデータ転送領域とは別の保守監視データ転送領域を用いて、前記加入者局装置に制御情報を送信する制御情報送信手段と、前記保守監視データ転送領域を用いて前記加入者局装置に配信データを送信する配信データ送信手段と、前記加入者局装置に対して送信すべき前記配信データがない場合には、前記制御情報送信手段による送信を実行させ、前記配信データがある場合には、前記制御情報送信手段による送信と前記配信データ送信手段による送信とを交互に実行させる制御手段と、を有する基地局装置である。
【０００８】
また、第２の発明は、１以上の加入者局装置に対して、ユーザデータを送受するためのユーザデータ転送領域とは別の保守監視データ転送領域を用いて制御情報と配信データとを送信するデータ送信方法であって、前記加入者局装置に対して送信すべき前記配信データがない場合には、前記制御情報を送信し、前記配信データがある場合には、前記制御情報と前記配信データとを交互に送信するデータ送信方法である。
【０００９】
【発明の実施の形態】
以下に添付図面を参照して、本発明に係る基地局装置およびデータ送信方法についての好適な実施形態を詳細に説明する。
【００１０】
図１は、本実施形態に係る基地局装置を含む通信システムの全体構成を示す概略ブロック図である。図１において、通信システムは、基地局装置１、加入者局装置２、ユーザ端末３、ネットワーク４、ファイルサーバ５、および端末６を有する。基地局装置１は、１以上の加入者局装置２と相互に無線通信可能であるとともに、ネットワーク４を介して、ファイルサーバ５および複数の端末６と相互に通信可能となっている。本実施形態では、１以上の加入者局装置２は、ｎ台の加入者局装置＃１〜＃ｎからなり、それぞれユーザ端末３と接続されている。このような構成により、ユーザ端末３と端末６との間の通信が可能となっている。また、加入者局装置２で使用される動作プログラムやデータ等は、ファイルサーバ５から基地局装置１を介して加入者局装置２にプログラムファイルやデータファイル等のデータ（以下、配信データと称す）が配信されることによって更新される。
【００１１】
基地局装置１と加入者局装置２との間の無線通信は、通信チャネルであるユーザデータ転送領域と、制御チャネルである保守監視データ転送領域とを用いて行われる。ユーザデータ転送領域は、ユーザ端末３と端末６との間でやりとりされるデータ（以下、ユーザデータと称す）の転送に用いられる。一方、保守監視データ転送領域は、基地局装置１から加入者局装置２への制御情報の送信や、この制御情報に対する応答である加入者局装置２から基地局装置１への制御応答の送信に用いられるとともに、基地局装置１から加入者局装置２への配信データの送信に用いられる。
【００１２】
なお、本実施形態では、基地局装置１は、屋外の電柱等に設置されており、半径数百ｍ内に設置された加入者局装置２を介して、ユーザ宅内のユーザ端末３と通信を行う。ただし、各装置等の接続形態や設置場所は特に限定されず、例えば、基地局装置１と加入者局装置２との間の通信は有線方式であってもよい。
【００１３】
図２は、図１に示される通信システムの動作を示すシーケンス図である。以下、図２を用いて、通信システムの動作について説明する。なお、図２では、ユーザデータの転送は省略されている。したがって、図２に示される基地局装置１と加入者局装置２との間の通信は、すべて保守監視データ転送領域を用いて行われるものである。
【００１４】
通常時、基地局装置１は、加入者局装置２に対して１台ずつ順番に制御情報を送信し（Ｃ１、Ｃ３、Ｃ５）、これに対する応答である制御応答を各加入者局装置２から受信する（Ｃ２、Ｃ４、Ｃ６）。これにより、基地局装置１は、各加入者局装置２の動作パラメータの設定、状態監視、制御、試験制御、履歴の取得等を行っている。
【００１５】
加入者局装置２に対する配信データの配信は、以下の手順で行われる。以下の説明では、配信対象は加入者局装置＃１および＃ｎであるものとする。
【００１６】
まず、ファイルサーバ５は、基地局装置１に対して配信開始要求を送信する（Ｃ７）。そして、この配信開始要求に対する応答である配信開始応答を基地局装置１から受信すると（Ｃ８）、ＦＴＰ（Ｆｉｌｅ  Ｔｒａｎｓｆｅｒ  Ｐｒｏｔｏｃｏｌ）により、配信データを基地局装置１に送信する（Ｃ９）。基地局装置１は、配信対象である加入者局装置＃１、＃ｎに送信開始要求を送信し（Ｃ１０、Ｃ１２）、これに対する応答である送信開始応答を加入者局装置＃１、＃ｎから受信すると（Ｃ１１、Ｃ１３）、制御情報の送信を停止する。そして、マルチキャストコマンドにより、配信データを予め設定された回数（ここでは２回）だけ送信する（Ｃ１４、Ｃ１５）。ここで、送信された配信データは、配信対象である加入者局装置＃１および＃ｎで受け取られ、対象外である加入者局装置＃２では受信後に破棄される。次に、基地局装置１は、加入者局装置＃１との制御情報、制御応答の送受を予め設定された回数（ここでは１回）だけ行う（Ｃ１６、Ｃ１７）。このような配信データと制御情報との交互送信は、配信データがすべて送信されるまで繰り返し実行される（Ｃ１８〜２３）。
【００１７】
配信データの送信が終了すると、通常時に戻り、基地局装置１と加入者局装置２との間での制御情報、制御応答のやりとりが行われる（Ｃ２４〜２７）。
【００１８】
図３は、基地局装置１および加入者局装置２の構成を示す詳細ブロック図である。図３において、基地局装置１は、システム制御部１１、配信データ保管部１２、未送信データ検出部１３、配信データ送信部１４、制御情報送信部１５、送信回数カウンタ１６、ネットワークインタフェース部１７、ＭＡＣ処理／スケジューリング処理部１８、ＴＤＤ／ＴＤＭＡ制御部１９、変復調部２０、および無線部２１を有する。加入者局装置２は、加入者局制御部３１、データ保管部３２、応答送信部３３、メモリ展開部３４、ユーザインタフェース部３５、ＭＡＣ処理部３６、ＴＤＤ／ＴＤＭＡ制御部３７、変復調部３８、および無線部３９を有する。
【００１９】
以下、基地局装置１および加入者局装置２の動作について説明する。
【００２０】
まず、ユーザデータを転送する場合の動作について説明する。加入者局装置２は、ユーザ端末３から送信されたデータを、ユーザインタフェース部３５により受信し、ＭＡＣ処理部３６、ＴＤＤ／ＴＤＭＡ制御部３７、変復調部３８、無線部３９を介して基地局装置１へ送信する。基地局装置１は、加入者局装置２から送信されたデータを、無線部２１により受信し、変復調部２０、ＴＤＤ／ＴＤＭＡ制御部１９、ＭＡＣ処理／スケジューリング処理部１８、ネットワークインタフェース部１７を介して、ネットワーク４へ送信する。端末６から送信されたユーザデータは、上記手順の逆の手順によってユーザ端末３へ転送される。なお、上記各部の詳細な動作については、その説明を省略する。
【００２１】
次に、ファイルサーバ５から配信データを受信する場合における基地局装置１の動作について説明する。図３において、基地局装置１は、ネットワークインタフェース部１７によりファイルサーバ５から配信データを受信し、この配信データを配信データ保管部１２に格納する。未送信データ検出部１３は、加入者局装置２に対して未送信である配信データが配信データ保管部１２に存在するか否かを検出し、検出結果をシステム制御部１１に通知する。
【００２２】
次に、基地局装置１から加入者局装置２に対して制御情報および配信データを転送する場合の動作について詳細に説明する。図４は、制御情報および配信データを転送する場合における基地局装置１の動作手順を示すフローチャートである。
【００２３】
図４において、システム制御部１１は、未送信データ検出部１３の検出結果を参照し、配信データ保管部１２に未送信の配信データが存在するか否かを判断する（Ｓ１）。
【００２４】
判断の結果、未送信の配信データが存在しない場合（Ｓ１：ＮＯ）、システム制御部１１は、制御情報送信部１５に対し、加入者局装置２への制御情報の送信を指示する。この指示を受け、制御情報送信部１５は、ＴＤＤ／ＴＤＭＡ制御部１９等を介して、一つの制御情報を所定の順番に従って一つの加入者局装置２に送信する（Ｓ２）。
【００２５】
基地局装置１から送信された制御情報は、加入者局装置２において、無線部３９、変復調部３８、ＴＤＤ／ＴＤＭＡ制御部３７を介して、加入者局制御部３１により受信される。加入者局制御部３１は、受信した制御情報に応じて、加入者局装置２の動作パラメータの設定、状態監視、制御、試験制御、履歴の取得等を実行する。この実行結果は、制御応答として、応答送信部３３によってＴＤＤ／ＴＤＭＡ制御部３７、変復調部３８、無線部３９を介して基地局装置１へ送信される。この応答送信部３３の制御応答は、基地局装置１において、無線部２１等を介してシステム制御部１１により受信される（Ｓ３）。
【００２６】
上記の動作は、未送信の配信データが検出されるまで繰り返される（Ｓ１：ＮＯ、Ｓ２、Ｓ３）。
【００２７】
一方、未送信の配信データが存在する場合（Ｓ１：ＹＥＳ）、システム制御部１１は、制御情報送信部１５に対し、配信対象の加入者局装置２への送信開始要求の送信を指示する。この指示を受け、制御情報送信部１５は、配信対象の加入者局装置２に送信開始要求を順番に送信する（Ｓ４）。ここで、配信対象の加入者局装置２を特定する方法は特に限定されないが、例えば、システム制御部１１は、稼動中のプログラムのバージョン番号が配信データ保管部１２に格納されたプログラムファイルのバージョン番号と異なっている加入者局装置２を配信対象として特定する。
【００２８】
基地局装置１から送信された送信開始要求は、加入者局装置２において、無線部３９、変復調部３８、ＴＤＤ／ＴＤＭＡ制御部３７を介して、加入者局制御部３１により受信される。加入者局制御部３１は、受信した送信開始要求に応じて所定の処理を実行する。そして、応答送信部３３は、ＴＤＤ／ＴＤＭＡ制御部３７等を介して、送信開始応答を基地局装置１へ送信する。
【００２９】
基地局装置１のシステム制御部１１は、配信対象のすべての加入者局装置２から送信開始応答を受信すると（Ｓ５）、送信回数カウンタ１６をクリアする（Ｓ６）。そして、配信データ送信部１４に対して、加入者局装置２への配信データの送信を指示する。この指示を受け、配信データ送信部１４は、配信データ保管部１２から所定量だけ配信データを読み込み、読み込んだ配信データをマルチキャストコマンドによりＴＤＤ／ＴＤＭＡ制御部１９等を介して加入者局装置２へ送信する（Ｓ７）。この配信データの送信が実行されると、送信回数カウンタ１６は１だけカウントアップする（Ｓ８）。そして、システム制御部１１は、未送信データ検出部１３の検出結果を参照し、配信データ保管部１２に未送信の配信データが存在するか否かを判断する（Ｓ９）。
【００３０】
判断の結果、未送信の配信データが存在しない場合（Ｓ９：ＮＯ）、ステップＳ２へ移行し、システム制御部１１は、制御情報送信部１５に加入者局装置２への制御情報の送信を実行させる。この制御情報の送信は、次に未送信の配信データが検出されるまで繰り返される（Ｓ１：ＮＯ、Ｓ２、Ｓ３）。
【００３１】
一方、未送信の配信データが存在する場合（Ｓ９：ＹＥＳ）、送信回数カウンタ１６の送信回数Ｎが予め設定されたデータ送信回数閾値ａ以上か否かを判断する（Ｓ１０）。判断の結果、送信回数Ｎがデータ送信回数閾値ａ未満である場合（Ｓ１０：ＮＯ）、ステップＳ７へ移行し、配信データの送信を繰り返す。一方、送信回数Ｎがデータ送信回数閾値ａ以上である場合（Ｓ１０：ＹＥＳ）、システム制御部１１は、送信回数カウンタ１６をクリアし（Ｓ１１）、制御情報送信部１５による一つの加入者局装置２への一つの制御情報の送信と、これに対する制御応答の受信とを１回だけ実行する（Ｓ１２、Ｓ１３）。制御情報の送信が実行されると、送信回数カウンタ１６は１だけカウントアップする（Ｓ１４）。システム制御部１１は、送信回数カウンタ１６の送信回数Ｎが予め設定された制御情報送信回数閾値ｂ以上か否かを判断する（Ｓ１５）。判断の結果、送信回数Ｎが制御情報送信回数閾値ｂ未満である場合（Ｓ１５：ＮＯ）、ステップＳ１２へ移行し、制御情報の送信を繰り返す。一方、送信回数Ｎが制御情報送信回数閾値ｂ以上である場合（Ｓ１５：ＹＥＳ）、ステップＳ６に移行する。
【００３２】
このように、未送信の配信データがなくなるまで、すなわち未送信の配信データが存在する間（Ｓ９：ＹＥＳ）、配信データの送信と制御情報の送信とが、予め設定された回数ずつ交互に実行される（Ｓ６〜Ｓ１５）。
【００３３】
なお、基地局装置１から送信された配信データは、加入者局装置２において、加入者局制御部３１に受信される。加入者局制御部３１は、自装置が配信対象であるか否かを判断し、配信対象である場合には、配信データをデータ保管部３２に格納する。一方、配信対象でない場合には、受信した配信データを破棄する。また、配信データがプログラムファイルである場合、配信対象である加入者局装置２は、配信完了後に、配信されたプログラムファイルをメモリ展開部３４に加入者局装置２のプログラムとして展開する。
【００３４】
以上のとおり、本実施形態に係る基地局装置１によれば、加入者局装置２に対してプログラムファイル等の配信データを送信する場合に、配信データと制御情報とを交互に送信する。このため、配信データの送信中であっても、加入者局装置２に対する制御情報の送信が長時間にわたって中断することがなく、加入者局装置２に対する動作パラメータの設定、状態監視、制御、試験制御、履歴の取得等が長時間にわたって中断することを回避することができる。
【００３５】
なお、本発明は上記の実施形態に限定されない。例えば、配信データと制御情報とは、所定時間ずつ交互に送信されてもよい。すなわち、交互に送信するための規則は、本実施形態のものに特に限定されない。
【００３６】
また、制御情報は、どのような順番で各加入者局装置２に送信されてもよい。さらに、制御情報には、マルチキャストコマンドにより複数の加入者局装置２に対して同時に送信されるものや、制御応答を必要としないもの等が含まれてもよい。
【００３７】
また、配信データは、必ずしもマルチキャストコマンドにより送信される必要はなく、加入者局装置２に対して１台ずつ順番に送信されてもよい。
【００３８】
【発明の効果】
本発明によれば、加入者局装置に対して配信データを送信する場合に、配信データと制御情報とを交互に送信するので、制御情報の送信が長時間にわたって中断することがなくなる。この結果、配信データの送信により加入者局装置に対する制御等が長時間にわたって中断することを回避することができる。
【図面の簡単な説明】
【図１】実施形態に係る基地局装置を含む通信システムの全体構成を示す概略ブロック図である。
【図２】通信システムの動作を示すシーケンス図である。
【図３】基地局装置１および加入者局装置２の構成を示す詳細ブロック図である。
【図４】制御情報および配信データを転送する場合における基地局装置１の動作手順を示すフローチャートである。
【符号の説明】
１  基地局装置
１１  システム制御部
１２  配信データ保管部
１３  未送信データ検出部
１４  配信データ送信部
１５  制御情報送信部
１６  送信回数カウンタ
１７  ネットワークインタフェース部
１８  ＭＡＣ処理／スケジューリング処理部
１９  ＴＤＤ／ＴＤＭＡ制御部
２０  変復調部
２１  無線部
２  加入者局装置
３１  加入者局制御部
３２  データ保管部
３３  応答送信部
３４  メモリ展開部
３５  ユーザインタフェース部
３６  ＭＡＣ処理部
３７  ＴＤＤ／ＴＤＭＡ制御部
３８  変復調部
３９  無線部
３  ユーザ端末
４  ネットワーク
５  ファイルサーバ
６  端末
【図１】
2005027136.tif 000003
【図２】
2005027136.tif 000004
【図３】
2005027136.tif 000005
【図４】
2005027136.tif 000006